(57)【特許請求の範囲】
【請求項１】
床パンの端部に下方に向けて垂設した垂下片と、該垂下片の下部から外側方に突出した載置用横片とよりなる断面略Ｌ字状をした取付け部を一体に連設し、上面が壁パネル載置部となった幅木の一側面の上下方向の中央部に床載置用突出部を突設し、上記取付け部に上記幅木を配置して、上記幅木の床パンと反対側の側面の上下方向の略中央部に外側程下となるように傾斜した傾斜面を形成し、該傾斜面から上記幅木の床パン側の側面の下端部と上記幅木の下面部とのなすコーナ付近に至る傾斜した固着具打入用孔を穿孔し、該固着具打入用孔から斜め下方に傾斜して打ち込んだ固着具を上記取付け部に固着して上記取付け部に上記幅木を固着し、上記斜めに打ち込んだ固着具による固着で、少なくとも上記床載置用突出部の下面と上記床パンの上面端部との間及び上記幅木の一側面の下部と上記垂下片との間に介在させた防水材を圧縮させてシールすると共に上記幅木の下面を上記載置用横片に押し当てて成ることを特徴とする床パンへの幅木取付け構造。
【請求項２】
幅木の下面を防水材を介して取付け部の載置用横片に押圧することを特徴とする請求項１記載の床パンへの幅木取付け構造。
【発明の詳細な説明】
【技術分野】
【０００１】
本発明は、床パンの端部に幅木を水密的に取付けるための技術に関するものである。
【背景技術】
【０００２】
従来から床パンの端部に下方に向けて垂設した垂下片と、該垂下片の下部から外側方に突出した載置用横片とよりなる断面略Ｌ字状をした取付け部を一体に連設し、上面が壁パネル載置部となった幅木の一側面の上下方向の中央部に床載置用突出部を突設し、取付け部に幅木を配置して、幅木の上面から下方に向けて固着具を打ち込んで載置用横片に固着することで幅木を床パンの端部に取付けるものが特許文献１により知られている。この従来例にあっては、床載置用突出部の下面と床パンの上面との間に防水材を介在させ、上記上方から固着具を打ち込むことで床載置用突出部の下面が防水材を圧縮する力として作用し、これにより床載置用突出部の下面と床パンの上面端部との間に介在させた防水材を圧縮させてシールするようになっている。しかしながら、上記上方から下方に向けて垂直に固着具を打ち込むものにおいては、幅木の一側面の下部は垂下片に押圧されることはなく、したがって、この幅木の一側面の下部は垂下片との間に防水材を介在させたとしても、防水材が圧接されないので、幅木の一側面の下部と垂下片との間においては止水効果が無い。ところが、床載置用突出部の下面と床パンの上面端部との間に防水材を介在してこの部分の防水材を圧縮することで止水する従来例においては、床載置用突出部の下面と床パンの上面端部への掛かり代は短いので、この部分における止水性が十分にできず、この部分の止水が破れて幅木の一側面の下部と垂下片との間に床パン側の水が浸入するという問題があり、この部分にカビが発生しやすかったり、あるいは、更に先に水が浸入したり、あるいは幅木の一側面の下部と垂下片との間から更に先に水が浸入したりするという問題がある。
【０００３】
また、固着具を水平方向に打ち込んで幅木を取付け部の垂下片に固着することが考えられるが、この場合は幅木に上から下方に押し付ける力が作用せず、したがって、床載置用突出部の下面と床パンの上面との間に防水材を介在させたとしても、この部分の防水材が上方から圧縮されず、この部分における止水効果が無くなる。
【０００４】
また、上方から固着具を打ち込むことと水平方向から固着具を打ち込むことを併用しても、防水材は固着具を先に打ち込んだ方の固着具により圧縮されるだけなので、上方からの圧縮又は水平方向からの圧縮の一方しかできず、結局、上記の従来例と同じ問題点がある。
【特許文献１】特開２００２−１２９１６号公報
【発明の開示】
【発明が解決しようとする課題】
【０００５】
本発明は上記の従来の問題点に鑑みて発明したものであって、簡単な構成で、上方及び水平方向の押圧力を付与して幅木の異なる面を防水材を介して水密的に取付けることができる床パンへの幅木取付け構造を提供することを課題とするものである。
【課題を解決するための手段】
【０００６】
上記課題を解決するために本発明に係る床パンへの幅木取付け構造は、床パン１の端部に下方に向けて垂設した垂下片２と、該垂下片２の下部から外側方に突出した載置用横片３とよりなる断面略Ｌ字状をした取付け部４を一体に連設し、上面が壁パネル載置部５となった幅木６の一側面の上下方向の中央部に床載置用突出部７を突設し、上記取付け部４に上記幅木６を配置して、上記幅木６の床パン１と反対側の側面の上下方向の略中央部に外側程下となるように傾斜した傾斜面１０を形成し、該傾斜面１０から上記幅木６の床パン１側の側面の下端部と上記幅木６の下面部とのなすコーナ付近に至る傾斜した固着具打入用孔１１を穿孔し、該固着具打入用孔１１から斜め下方に傾斜して打ち込んだ固着具８を上記取付け部４に固着して上記取付け部４に上記幅木６を固着し、上記斜めに打ち込んだ固着具８による固着で、少なくとも上記床載置用突出部７の下面と上記床パン１の上面端部との間及び上記幅木６の一側面の下部と上記垂下片２との間に介在させた防水材９を圧縮させてシールすると共に上記幅木６の下面を上記載置用横片３に押し当てて成ることを特徴とするものである。
【０００７】
このような構成とすることで、固着具８を斜め下方に打ち込んだ際の固着力の垂直方向の分力により床載置用突出部７が防水材９を介して床パン１の上面端部に押圧されると共に、水平方向の分力により幅木６の一側面の下部が防水材９を介して垂下片２に押圧され、床載置用突出部７の下面と床パン１の上面端部との間及び幅木６の一側面の下部と垂下片２との間に介在させた防水材９が共に圧縮され、この結果、幅木６の床載置用突出部７から一側面の下部にわたって確実に止水できることになる。
また、幅木６の床パン１と反対側の側面の上下方向の略中央部に外側程下となるように傾斜した傾斜面１０を形成し、該傾斜面１０から幅木６の床パン１側の側面の下端部と幅木６の下面部とのなすコーナ付近に至る傾斜した固着具打入用孔１１を穿孔したので、傾斜した固着具打入用孔１１の端部の傾斜面１０に開口する部分から固着具８を挿入することで簡単且つ確実に固着具８を斜め下方に打ち込んで幅木６を取付け部４に固着することができる。このとき、固着具８を斜め下方に打ち込んだ際の固着力の垂直方向の分力Ｆ２により床載置用突出部７が防水材９を介して床パン１の上面端部に押圧されると共に、水平方向の分力Ｆ１の分力により幅木６の一側面の下部が防水材９を介して垂下片２に押圧され、床載置用突出部７の下面と床パン１の上面端部との間及び幅木６の一側面の下部と垂下片２との間に介在させた防水材９が共に圧縮され、幅木６の床載置用突出部７から一側面の下部にわたって防水材９を圧縮して連続した止水構造を構成できる。
【０００８】
また、幅木６の下面を防水材９を介して取付け部４の載置用横片３に押圧することが好ましい。
【０００９】
このような構成とすることで、固着具８による固着力の垂直方向の分力により幅木６の下面が防水材９を介して載置用横片３に押圧して該防水材９を圧縮し、幅木６の下面と載置用横片３との間も確実にシールでき、この結果、幅木６の床載置用突出部７から一側面の下部を経て幅木６の下面にわたって確実に止水できることになる。
【発明の効果】
【００１２】
本発明は、簡単且つ確実に固着具を斜め下方に打ち込んで幅木を床パンの取付け部に固着することができると共に、床載置用突出部の下面と床パンの上面端部との間及び幅木の一側面の下部と垂下片との間に介在させた防水材を共に圧縮させて幅木の床載置用突出部から一側面の下部にわたって確実に止水できる。
【発明を実施するための最良の形態】
【００１３】
以下、本発明を添付図面に示す実施形態に基いて説明する。
【００１４】
床パン１は合成樹脂製（例えばＳＭＣなどの樹脂を主材とする成形材料を成形して得たもの）で、外周縁部の一部（図２においてイ、ロで示す部分）が断面略Ｌ字状をした取付け部４となっている。外周縁部の他の部分のハ、ニ、ホで示す部分は図３に示すように、床パン１の外端に上方に向けて立上がり片１２を突設する共に立上がり片１２の上端から側方に壁パネル載置片１３を連出し、壁パネル載置片１３の突出先端から上方に水切り片１４を突設した構成となっている。また、図２に示す実施形態では床パン１として洗い場用の床パン１が示してあり、外周端部の図２のヘで示す部分はエプロン１５が一体に立ち上がっている。
【００１５】
床パン１の外周端部の図２のイ、ロで示す部分に設けた取付け部４は、床パン１の端部に下方に向けて垂設した垂下片２と、該垂下片２の下部から外側方に突出した載置用横片３とよりなる断面略Ｌ字状をした形状をしており、添付図面に示す実施形態では載置用横片３の先端から上方に向けて縦片１６を一体に突設してあり、垂下片２と、載置用横片３と縦片１６とで上方が開口した溝を形成してある。
【００１６】
上記、床パン１の外周端部の取付け部４には任意の位置にドア枠（図示せず）を取付け、該取付け部４のドア枠を取付けない部分に後述する幅木６を図１のように取付けるようになっている。例えば、図２に示す実施形態で説明すと、図２のイ部分にドア枠を取付ける（この場合は横幅の長いドア枠を取付ける）場合は、図２のロ部分に幅木６を取付ける。また、図２のロ部分にドア枠を取付ける（この場合は横巾の短いドア枠を取付ける）場合は、図２のイ部分に幅木６を取付ける。更に、図２のイ部分の長手方向の一部にドア枠を取付ける（この横巾の短いドア枠を取付ける）場合は、図２のイ部分の長手方向の他の部分及び図２のロ部分に幅木６を取付ける。このようにすることで現場毎に、ドア枠の取付け位置、ドア枠の横長さの異なるものを現場に応じて選択できるようになっている。
【００１７】
幅木６は例えば低発泡合成樹脂の一体成形品で図５に示すような断面形状をしており、上面が全長にわたって壁パネル載置部５となり、壁パネル載置部５の床パン１と反対側の側端部には上方に向けて水返し用突出片２３が長手方向の全長にわたって突設してあり、幅木６の一側面である床パン１側の面の上下方向の中央部に幅木６の全長にわたって床載置用突出部７を突設してある。幅木６の床載置用突出部７の下面と幅木６の床載置用突出部７を突設した一側面とのなすコーナ部分は弧状面１８となっており、また、幅木６の上記床載置用突出部７を突設した一側面の上記弧状面１８の下方には長手方向の全長にわたって側方に開口する側凹溝部１９が形成してあり、更に、幅木６の下面には長手方向の全長にわたって下方に開口する下凹溝部２５が形成してある。また、幅木６の床パン１と反対側の側面の上下方向の略中央部に外側程下となるように傾斜した傾斜面１０を形成してある。この傾斜面１０から幅木６の床パン１側の側面の下端部と幅木６の下面部とのなすコーナ付近に至る傾斜した固着具打入用孔１１が穿孔してある。
【００１８】
ここで、床載置用突出部７の下面から幅木６下面までの長さは上記取付け部４の垂下片２の上下長さよりも若干短くなっている。
【００１９】
現場において図２のイ、ロで示す取付け部４のうち任意の位置にドア枠を取付けるのであるが、取付け部４のドア枠を取付ける部分以外の部分に上記の構成の幅木６を取付けるには以下のようにして行う。
【００２０】
すなわち、幅木６の一側面の側凹溝部１９に防水材９であるパッキン２０の後部を嵌め込むと共に該パッキン２０の前部を側凹溝部１９よりの外側方（つまり垂下片２側）に突出させる。この場合、パッキン２０は上端面と側凹溝部１９の溝内の上内面との間に隙間ができるように嵌め込み（このためパッキン２０の上下寸法は側凹溝部１９の上下巾寸法よりも短くなっている）、防水材９であるシリコンのようなシーリング材２１を上記パッキン２０の上端面と側凹溝部１９の溝内の上内面との間の隙間に充填すると共に該隙間よりも外側方に盛り出す（この場合、床載置用突出部７の下面と幅木６の床載置用突出部７を突設した一側面とのなすコーナ部分にも併せて塗布してもよい）。この状態で図１に示すように取付け部４に幅木６を配置して、幅木６の床パン１と反対側の側面の傾斜面１に設けた固着具打入用孔１１の上端の開口からタッピングねじのような固着具８を挿入して取付け部４の垂下片２と載置用横片３とのなすコーナ部分に打ち込み固着するものである。
【００２１】
このように固着具８を斜め下方に向けて打ち込んで幅木６を取付け部４に固着することで、固着具８の打ち込みによる固着力Ｆは図１の水平方向の分力Ｆ１と垂直方向の分力Ｆ２とに分けられる。そして、上記分力Ｆ１により幅木６が横方向に押圧されてパッキン２０が圧縮され、同時にシーリング材２１が圧縮して押し潰され、押し潰されたシーリング材２１が上記圧縮されたパッキン２０の上面と幅木６の一側面と垂下片２とに囲まれた部分に圧縮状態で充填されると共に一部が床載置用突出部７の下面と床パン１の上面端部との間に充填される。また、上記分力Ｆ２により幅木６が垂直方向に押圧されて上記床載置用突出部７の下面と床パン１の上面端部との間に流れたシーリング材２１が分力Ｆ２で圧縮されて床載置用突出部７の下面と床パン１の上面端部との間に圧縮状態で充填され、同時に、幅木６の下面が載置用横片３に押し当てられる。
【００２２】
つまり、固着具８を斜め下方に打ち込んだ際の固着力の水平方向の分力Ｆ及び垂直方向の分力Ｆ２により床載置用突出部７が防水材９であるパッキン２０、シーリング材２１を介して床パン１の上面端部に押圧されると共に、水平方向の分力により幅木６の一側面の下部が防水材９を介して垂下片２に押圧され、床載置用突出部７の下面と床パン１の上面端部との間及び幅木６の一側面の下部と垂下片２との間に介在させた防水材９が共に圧縮され、幅木６の床載置用突出部７から一側面の下部にわたって防水材９を圧縮して連続した止水構造を構成できる。
【００２３】
図４には本発明の他の実施形態が示してあり、本実施形態では上記の実施形態と同様に幅木６の一側面の側凹溝部１９に防水材９であるパッキン２０の後部を嵌め込むと共に該パッキン２０の前部を側凹溝部１９よりの外側方（つまり垂下片２側）に突出させ、防水材９であるシリコンのようなシーリング材２１を幅木６の床載置用突出部７の下面と幅木６の床載置用突出部７を突設した一側面とのなすコーナ部分に塗布するのに加え、下凹溝部２５にシリコンのようなシーリング材２１を充填すると共に一部が下凹溝部２５よりも下方に盛り出すようにする。本実施形態においては、上記水平方向の分力Ｆ１による作用は上記実施形態と同じであるが、垂直方向の分力Ｆ２による作用は上記実施形態と同じ作用に加え、下凹溝部２５に充填した防水材９であるシリコンのようなシーリング材２１が圧縮され、該圧縮されたシーリング材２１を介して幅木６の下面が載置用横片３に押圧されることで、幅木６の下面と載置用横片３との間も止水されることになる。
【００２４】
上記のようにして取付けた幅木６には図１に示すように壁パネル２４の下端部が載設して取付けられる。すなわち、壁パネル２４の下端面を幅木６の壁パネル載置部５に載置すると共に、壁パネル２４の背面下端部に取付けた係止具２６を水返し用突出片２３に引掛け係止することで壁パネル２４の下端部を幅木６の壁パネル載置部５上に載設して取付ける。
【００２５】
ここで、床パン１の外端の取付け部４を設けないで立上がり片１２を突設した部位（図２のハ、ニ、ホの部分）においては、図３に示すように立上がり片１２の上端から側方に連出した壁パネル載置片１３に壁パネル２４を載設すると共に壁パネル２４の背面下端部に取付けた係止具２６を水切り片１４に引掛け係止することで壁パネル２４の下端部を壁パネル載置片１３上に載設して取付ける。
【００２６】
なお、壁パネル２４の下端面と幅木６の壁パネル載置部５との間、壁パネル２４の下端面と壁パネル載置片１３との間には図示を省略しているが、シリコンのようなシーリング材が充填されて防水性を確保している。
【００２７】
そして、本発明においては、上記のように固着具８を斜め下方に打ち込んだ際の固着力の垂直方向の分力により床載置用突出部７が防水材９を介して床パン１の上面端部に押圧すると共に、床載置用突出部７の下面と床パン１の上面端部との間及び幅木６の一側面の下部と垂下片２との間に介在させた防水材９を共に圧縮することで、幅木６の床載置用突出部７から一側面の下部にわたって確実に止水でき（図４の実施形態では更に幅木６の下面にわたって止水でき）、このため、床パン１の端部上面と幅木６の床載置用突出部７の下面との間から水が浸入しようとしても、確実に止水できるので、壁パネル２４を載設するための幅木６を取付けた部分においても、床パン１と一体に立ち上がり片１２、壁パネル載置片１３、水切り片１４を設けた箇所と同様の止水ができることになる。
【図面の簡単な説明】
【００２８】
【図１】本発明の一実施形態を示し、図２のＸ−Ｘに幅木、壁パネルを取付けた状態の断面図である。
【図２】同上の床パンの一実施形態の平面図である。
【図３】同上の図２のＹ−Ｙ部分に壁パネルを取付けた状態の断面図である。
【図４】同上の図２のＸ−Ｘに幅木、壁パネルを取付けた状態の他の実施形態の断面図である。
【図５】同上に用いる幅木の断面図である。
【符号の説明】
【００２９】
１  床パン
２  垂下片
３  載置用横片
４  取付け部
５  壁パネル載置部
６  幅木
７  床載置用突出部
８  固着具
９  防水材
１０  傾斜面
１１  固着具打入用孔
【図１】
0004747771.tif 000002
【図２】
0004747771.tif 000003
【図３】
0004747771.tif 000004
【図４】
0004747771.tif 000005
【図５】
0004747771.tif 000006